(57)【要約】【課題】  複数の液晶ディスプレイを使用するマルチディスプレイ装置において、本来の映像表示装置がもつ性能を損なうことなく、隣合う映像表示装置の継目を低減し、良好な大画面ディスプレイを低コストで実現する。【解決手段】  表示部の周囲に存在する非表示部を重なるように配置する。また、非表示部の４隅を面取りすることによって、縦、横方向の配置を可能にする。【選択図】  図６
2009162972.tif 000002
【特許請求の範囲】
【請求項１】
複数の映像表示装置を、該複数の映像表示装置の表示領域が同一方向を向くように平面状に配置されているマルチディスプレイ装置であって、
前記映像表示装置は、前記表示領域の外周の少なくとも一部に非表示領域を備え、
前記複数の映像表示装置を、前記非表示領域が重なるように配置されていることを特徴とするマルチディスプレイ装置。
【請求項２】
請求項１に記載のマルチディスプレイ装置において、
前記非表示領域の外周は長方形であり、
前記非表示領域の４つの角は面取りされていることを特徴とするマルチディスプレイ装置。
【請求項３】
請求項２に記載のマルチディスプレイ装置において、
前記４つの角は略４５度の傾斜角度で面取りされていることを特徴とするマルチディスプレイ装置。
【請求項４】
請求項２または３に記載のマルチディスプレイ装置において、
前記４つの角は、前記非表示領域の外周から前記表示領域の外周までの幅よりも大きく面取りされていることを特徴とするマルチディスプレイ装置。
【発明の詳細な説明】
【技術分野】
【０００１】
本発明は、複数の映像表示装置の表示領域が同一方向を向くように平面状に配置されているマルチディスプレイ装置に関する。
【背景技術】
【０００２】
フルカラーの大画面表示装置を実現する為には、装置の大型化により実現することが最適であるが、装置の大型化には限界があり、コスト的にも非常に高価なものになる。その為、従来より、複数の映像表示装置（以下、「ディスプレイ」という）を縦、横に並べることにより全体で大画面を構成する、いわゆるマルチディスプレイ装置が用いられてきた。
【０００３】
マルチディスプレイ装置に使用されるディスプレイとしては、例えば、背面投写型ディスプレイや、平面型映像表示装置（平面型ディスプレイ）の一つである液晶ディスプレイ等が挙げられる。
【０００４】
背面投写型ディスプレイについては、前面のスクリーンを保持する筐体を薄くし、スクリーン上に映像を拡大投影することによって、スクリーンを取り囲む筐体枠部で形成される隣接するディスプレイ間の継目を細くすることが可能である。しかし、この背面投写型ディスプレイについては、光源に使用するランプの寿命の課題に加えて、筐体の厚み（奥行）が大きく、設置性が悪いといった課題がある。
【０００５】
一方、液晶ディスプレイの場合は、筐体の厚み（奥行）が薄く設置性が良い。しかし、映像表示部の周囲にパネルを駆動する為の配線部に相当する非表示領域が存在し、隣り合う液晶ディスプレイ間に継目が生じ、画像の連続性や一体感にかけるという課題があった。この課題に対し、マルチディスプレイの継目を低減する種々の技術が提案されている。例えば、特許文献１や特許文献２等が挙げられる。
【０００６】
【特許文献１】特開平９−３７１９４号公報
【特許文献２】特開平９−２４７５８９号公報
【発明の開示】
【発明が解決しようとする課題】
【０００７】
しかしながら、上記した従来技術には解決しなければならない下記に述べる技術課題がある。
【０００８】
特許文献１は、ディスプレイの発光面上に光軸を１次元的もしくは２次元的に傾斜させたファイバープレートを備えるマルチディスプレイ装置を開示する。本技術によれば、観察者側から見た場合、１次元的もしくは２次元的に傾斜させたファイバープレートにより、隣り合うディスプレイ間の継目を見えなくすることができる。しかしながら、この方法は、マルチディスプレイ装置が２面、および４面のディスプレイによって構成された場合にのみ適用可能な方法である。これ以上の面数によって構成されるマルチディスプレイ装置を実現する方法については、何ら記載がない。実際、１０面以上のマルチディスプレイ装置が多く存在する為、本技術は適用できない場合が多い。
【０００９】
特許文献２は、それぞれのディスプレイに対して、所定の拡大倍率を持つ平面レンズを配置することによって、映像のみを拡大し、継目を表示させないように構成したマルチディスプレイ装置を開示する。この方法は、正面から観察した場合には有効である。しかしながら、上下左右方向から観察した場合、平面レンズの焦点位置が異なってしまい、結果として目地が大きく見える場合が発生したり、フォーカスが合わずボケを伴う。また、４０型、５０型を超えるディスプレイに関しては、非常に大きな平面レンズが必要となり、その製作方法、精度の課題を有している。
【００１０】
本発明は、上記した課題に鑑みてなされたもので、その目的は、液晶ディスプレイが持つ性能を損なわずに、継目の幅を低減できるマルチディスプレイ装置を提供することにある。
【課題を解決するための手段】
【００１１】
上記課題を解決するために、本発明によるマルチディスプレイ装置は、複数の映像表示装置を、該複数の映像表示装置の表示領域が同一方向を向くように平面状に配置されているマルチディスプレイ装置であって、前記映像表示装置は、前記表示領域の外周の少なくとも一部に非表示領域を備え、前記複数の映像表示装置を、前記非表示領域が重なるように配置されている。
【００１２】
さらに、本発明によるマルチディスプレイ装置は、前記非表示領域の外周は長方形であり、前記非表示領域の４つの角は面取りされている。
【００１３】
さらに、本発明によるマルチディスプレイ装置は、前記４つの角は略４５度の角度で面取りされている。
【００１４】
さらに、本発明によるマルチディスプレイ装置は、前記４つの角は、前記非表示領域の外周から前記表示領域の外周までの幅よりも大きく面取りされている。
【発明の効果】
【００１５】
本発明によれば、ディスプレイの非表示領域を、隣接するディスプレイの非表示領域と部分的に重なるように配置するので、観察者側から見たときの非表示領域の幅を小さくすることができる。従って、ディスプレイが持つ性能を損なうことなく、隣り合うディスプレイの継目を低減することができ、マルチディスプレイ装置に複数のディスプレイに跨った大画面映像を表示する際には、良好なマルチスクリーン方式の大画面映像を提供することができる。
【発明を実施するための最良の形態】
【００１６】
以下に図面を参照して、本発明の最良の形態について説明する。なお、本実施の形態においては、マルチディスプレイ装置を構成するそれぞれのディスプレイ（映像表示装置）として、平面型映像表示装置の一つである液晶ディスプレイを使用するものとする。また、各図において、共通な機能を有する構成要素には同一な符号を付して示し、また、繁雑さを避けるために、一度述べたものについてはその重複する説明を省略する。
【実施例１】
【００１７】
図１と図２を用いて、第１の実施例について説明する。第１の実施例は、２台の液晶ディスプレイを隣接配置する場合に本発明を適用したものである。
【００１８】
図１は、本実施例によるマルチディスプレイ装置を正面から見た正面視の模式図である。図２は、本実施例による図１のマルチディスプレイ装置を側面から見た側面視の模式図である。
【００１９】
図１，図２において、本実施例によるマルチディスプレイ装置は、横方向（左右方向）に配置された液晶ディスプレイ２１と２２とからなる。各液晶ディスプレイ２１，２２は、それぞれ、液晶パネルで構成された画像が形成される表示部２１２，２２２と、表示部２１２，２２２を照明するバックライトを含む照明光学系（図示せず）や表示部を駆動して画像を形成させる駆動回路（図示せず）などからなる照明／駆動回路部２１６，２２６とを含んでなる。また、表示部２１２，２２２は、それぞれ、画像が形成されて表示される映像表示領域２１４，２２４と、映像表示領域２１４，２２４を取り囲む枠状の非表示領域２１３，２２３とからなる。さらに、枠状の非表示領域２１３，２２３は、それぞれ、表示部２１２，２２２の短辺に沿う縦方向（上下方向）の非表示領域２１３ｖ，２２３ｖと、表示部２１２，２２２の長辺に沿う横方向（左右方向）の非表示領域２１３ｈ，２２３ｈとで形成されている。これらの非表示領域には、図示しない液晶パネルを駆動するための配線部が設けられている。
【００２０】
本実施例では、図２に示すように、左右に配置された液晶ディスプレイ２１，２２で構成されたマルチディスプレイ装置において、図示しない観察者側から見て、隣り合う非表示領域２１３ｖ，２２３ｖが部分的に重なるように、非表示領域２１３ｖの背後側に非表示領域２２３ｖが重ねて配置されている。ここでは、重なる部分を非表示領域２１３ｖ，２２３ｖの１／２以上とする。このように配置することによって、正面（観察者）から見た場合、液晶ディスプレイ２１と２２の間に存在する継目部の太さ（幅）を半分程度にすることができる。
【００２１】
本実施例によれば、非表示領域２１３ｖ，２２３ｖを重ねて配置するので、表示部２１２と表示部２２２との間に段差が生じることになる。一般に、表示部２１２，２２２の厚みは２〜３ｍｍと薄く、前記段差は２〜３ｍｍ程度である。所で、本来マルチディスプレイ装置は大画面とされるため、観察者から離れた位置に設置されることが多い。従って、２〜３ｍｍ程度の段差は特に支障を生じない。
【００２２】
以上のように、本実施例によれば、マルチディスプレイ装置を構成する液晶ディスプレイの非表示領域を重なるように配置することにより、隣接する映像表示間に存在する継目の太さ（幅）を約半分程度にすることができる。また、このように構成することで新たなレンズ等が不要であり、低コストでの実現が可能である。さらには、映像表示面にレンズやフレネルを追加する必要が無いので、液晶ディスプレイが持つフォーカス性能や、コントラスト性能、輝度性能、視野角特性を損なうことも無い。
【実施例２】
【００２３】
次に図３と図４を用いて、第２の実施例について説明する。第２の実施例は、横方向に複数（ここでは４台）の液晶ディスプレイを配置した場合に本発明を適用したものである。
【００２４】
図３は、本実施例によるマルチディスプレイ装置を正面から見た正面視の模式図である。図４は、本実施例による図３のマルチディスプレイ装置を側面から見た側面視の模式図である。
【００２５】
図３，図４に示すように、本実施例によるマルチディスプレイ装置は、横方向（左右方向）に配置された液晶ディスプレイ２１，２２，２３，２４とからなる。そして、液晶ディスプレイ２１，２３の非表示領域２１３ｖ，２３３ｖの背後側に液晶ディスプレイ２２の非表示領域２２３ｖが重ねられている。また、液晶ディスプレイ２３の液晶ディスプレイ２２とは逆側の非表示領域２３３ｖの背後側には液晶ディスプレイ２４の非表示領域２４３ｖが重ねられている。
【００２６】
本実施例によれば、第１の実施例と同様にして、マルチディスプレイ装置を正面から見て各液晶ディスプレイの表示領域が配列方向で互い違いとなるように、つまり交互に段差が生じるように、隣接する液晶ディスプレイの非表示領域を重ね合わせて配置することができる。このように隣り合う液晶ディスプレイの非表示領域を重ね合うように設置することで、継目部を半分程度の太さ（幅）にすることができる。
【実施例３】
【００２７】
次に第３の実施例について、図５、図６、図７を用いて説明する。第３の実施例は、複数の液晶ディスプレイを横方向、縦方向の２行２列に配列する場合に本発明を適用したものである。勿論、本実施例はこれに限定されるものではない。２行２列より大きなｎ行ｍ列の場合にも適用できる。
【００２８】
図５は、本実施例による液晶ディスプレイの正面視の模式図である。図６は、本実施例による液晶ディスプレイを２行２列に配置した場合におけるマルチディスプレイ装置を模式的に示した斜視図である。図７は、本実施例によるマルチディスプレイ装置の正面視の模式図である。なお、図５において、本実施例によるマルチディスプレイ装置を構成する任意の液晶ディスプレイを説明するのに、代表的に液晶ディスプレイ３１を用いて説明するが、他の液晶ディスプレイも同じであることはいうまでもない。
【００２９】
図から明らかなように、本実施例によるマルチディスプレイ装置は、２行２列に配置された液晶ディスプレイ３１，３２，３３および３４とからなる。各液晶ディスプレイ（ここでは、便宜上、代表的に液晶ディスプレイ３１を用いて説明する）は、図５に示すように、表示領域３１４を取り囲む枠状の非表示領域３１３を有しており、縦方向（上下方向）の非表示領域３１３ｖと、横方向（左右方向）の非表示領域３１３ｈとで形成されている。そして、非表示領域３１３ｖと非表示領域３１３ｈとが交差する４隅（４つの角）は、約４５度の傾斜角度で面取りされている。つまり、４隅の面取りの量は、非表示領域の幅（非表示領域の外周から表示領域の外周までの幅）と略同一とされている。以下の説明の都合上、図５に示すように、左上隅の面取り部の符号を３１７ａ、右上隅の面取り部の符号を３１７ｂ、左下隅の面取り部の符号を３１７ｃ、右下隅の面取り部の符号を３１７ｄとする。すなわち、面取り部３１７はその面取り位置に応じてアルファベットａ，ｂ，ｃ，ｄが添えられて示される。他の液晶ディスプレイにおいても符号の与え方は同様である。例えば、液晶ディスプレイ３４においては、表示領域の符号は液晶ディスプレイの符号３４に表示領域を指す４を付した３４４であり、非表示領域の符号は液晶ディスプレイの符号３４に非表示領域を指す３を付した３４３であり、面取り部の符号は液晶ディスプレイの符号３４に面取り部を指す７を付した３４７である。
【００３０】
次に、上記した液晶ディスプレイを用いたマルチディスプレイ装置において、本実施例による隣接する液晶ディスプレイ間に形成される継目の幅を低減する方法について説明する。
【００３１】
実施例１，２の方法を用いて、４つの液晶ディスプレイを２行２列に配設する場合、互い違いに段差が生じる配列とするため、図６に示すように、対角位置の液晶ディスプレイは、共に、観察者側（図示せず）に凸または凹の状態となる。ここでは、液晶ディスプレイ３１と３４とが観察者側に突出し、液晶ディスプレイ３２と３３とが凹んだ状態である。しかし、もし、液晶ディスプレイの４隅に面取り（切欠）が無ければ、４つの液晶ディスプレイが交差する角部において、４つの液晶ディスプレイの非表示領域を重ね合わせることができない。そこで、本実施例では、図５に示すように、液晶ディスプレイの４隅部に面取り部を設けるようにした。
【００３２】
すなわち、本実施例では、図６，図７に示すように、液晶ディスプレイ３１と液晶ディスプレイ３４の面取り部３１７ｄおよび３４７ａを突き合わせて、液晶ディスプレイ３２と液晶ディスプレイ３３を液晶ディスプレイ３１，３４の非表示領域３１３，３４３の背面側に配置する。勿論前記背面側でも、図示されてないが、液晶ディスプレイ３２と液晶ディスプレイ３３の面取り部３２７ｃおよび３３７ｂを突き合わせることはいうまでもない。このとき、横方向の非表示領域と縦方向の非表示領域との幅が同じとすれば、非表示領域における重ね合わせ量を非表示領域の幅の約半分程度にすることができることになる。
【００３３】
以上述べたように、本実施例によれば、複数の液晶ディスプレイを２次元状（マトリクス状ともいう）に配設したマルチディスプレイ装置において、隣り合う液晶ディスプレイの非表示領域を重ね合わせて配置することができ、継目の太さ（幅）を略半分程度にすることができる。
【実施例４】
【００３４】
実施例３では、面取り部を突き合わせるようにしたが、面取り部の加工精度が低いと、各液晶ディスプレイを組み合わせる際、縦方向および横方向の非表示領域を重ね合わせ、整列させる際に、面取り部が突き合わせる面取り部に当たって干渉が生じ、組み上げたマルチディスプレイ装置における各液晶ディスプレイの表示領域が傾く懸念や、継目の太さ（幅）が不均一となる懸念がある。勿論、面取り部の加工精度を上げればよいが、このためコストを押し上げることになる。
【００３５】
次に、この課題を解決する第４の実施例について、図８と図９と図１０を用いて説明する。第４の実施例は、複数の液晶ディスプレイを横方向、縦方向の３行３列に配列する場合に本発明を適用したものである。
【００３６】
図８は、本実施例による液晶ディスプレイの正面視の模式図である。図９は、本実施例による液晶ディスプレイを３行３列に配置した場合におけるマルチディスプレイ装置を模式的に示した斜視図である。図１０は、本実施例によるマルチディスプレイ装置の正面視の模式図である。なお、図８において、本実施例によるマルチディスプレイ装置を構成する任意の液晶ディスプレイを説明するのに、代表的に液晶ディスプレイ４１を用いて説明するが、他の液晶ディスプレイも同じであることはいうまでもない。
【００３７】
図から明らかなように、本実施例によるマルチディスプレイ装置は、３行３列に配置された複数（ここでは９台）の液晶ディスプレイ４１，４２，４３，４４，４５，４６，４７，４８および４９とからなる。そして、各液晶ディスプレイは、実施例３と同様、互い違いに段差が生じる配列（段差が千鳥状となる配列）とされている。つまり、液晶ディスプレイ４１と４３と４５と４７と４９は観察者側（図示せず）に凸の状態で配設され、液晶ディスプレイ４２と４４と４６と４８は凹の状態で配設されている。
【００３８】
各液晶ディスプレイ（ここでは、便宜上、代表的に液晶ディスプレイ４１を用いて説明する）は、図８に示すように、表示領域４１４を取り囲む枠状の非表示領域４１３を有しており、縦方向（上下方向）の非表示領域４１３ｖと、横方向（左右方向）の非表示領域４１３ｈとで形成されている。そして、非表示領域４１３ｖと非表示領域４１３ｈとが交差する４隅は、約４５度の傾斜角度で面取りされている。しかし、本実施例は、実施例３と比べ、４隅の面取りが、非表示領域４１３ｖおよび非表示領域４１３ｈの幅非表示領域の外周から表示領域の外周までの幅）より大きく、表示領域４１４の角部に近い個所まで取られている点で異なる。以下の説明の都合上、図８に示すように、左上隅の面取り部の符号を４１７ａ、右上隅の面取り部の符号を４１７ｂ、左下隅の面取り部の符号を４１７ｃ、右下隅の面取り部の符号を４１７ｄとする。すなわち、面取り部４１７はその面取り位置に応じてアルファベットａ，ｂ，ｃ，ｄが添えられて示される。他の液晶ディスプレイにおいても符号の与え方は同様である。
【００３９】
次に、上記した液晶ディスプレイを用いたマルチディスプレイ装置において、本実施例による隣接する液晶ディスプレイ間に形成される継目の幅を低減する方法について説明する。
【００４０】
本実施例では、上記したように、各液晶ディスプレイの４隅の面取り部が非表示領域の幅より大きく取られているので、図９，図１０に示すように、実施例３とは異なり、縦方向および横方向の非表示領域を重ね合わせて整列させる際に、面取り部が干渉することがなく、隣り合う液晶ディスプレイ間の継目の太さ（幅）を小さくすることが可能である。
【００４１】
以下、４つの液晶ディスプレイ４１，４２，４４，４５に着目して具体的に述べる。
【００４２】
各液晶ディスプレイの４隅の面取り部は、表示領域の角部に近い個所まで切り欠かれているので、液晶ディスプレイ４１と液晶ディスプレイ４５の面取り部４１７ｄおよび４５７ａを突き合わせることなく、面取り部４１７ｄと４５７ａとの間に所定の空隙４００が生じるように近接させた後、液晶ディスプレイ４２と液晶ディスプレイ４４を液晶ディスプレイ４１，４５の非表示領域４１３，４５３の背面側に配置する。勿論前記背面側でも、図示されてないが、液晶ディスプレイ４２と液晶ディスプレイ４４の面取り部４２７ｃおよび４４７ｂを突き合わせることなく、面取り部４２７ｃと４４７ｂとの間に所定の空隙が生じるように近接させることはいうまでもない。
【００４３】
以上述べたように、本実施例によれば、複数の液晶ディスプレイを２次元状（マトリクス状）に配設したマルチディスプレイ装置において、観察者側に凸に配置されるグループの液晶ディスプレイのうち、或は観察者側に凹に配置されるグループの液晶ディスプレイのうち、隣り合う液晶ディスプレイの面取り部を突き合わせることなく、それらの非表示領域を重ね合わせて配置することができ、継目の太さ（幅）を低減することができる。従って、面取りの加工精度を緩めることが可能となり、コストダウンを図ることができる。
【図面の簡単な説明】
【００４４】
【図１】第１の実施例によるマルチディスプレイ装置の正面視図である。
【図２】第１の実施例によるマルチディスプレイ装置の側面視図である。
【図３】第２の実施例によるマルチディスプレイ装置の正面視図である。
【図４】第２の実施例によるマルチディスプレイ装置の側面視図である。
【図５】第３の実施例による液晶ディスプレイの正面視図である。
【図６】第３の実施例によるマルチディスプレイ装置の斜視図である。
【図７】第３の実施例によるマルチディスプレイ装置の正面視図である
【図８】第４の実施例による液晶ディスプレイの正面視図である。
【図９】第４の実施例によるマルチディスプレイ装置の斜視図である。
【図１０】第４の実施例によるマルチディスプレイ装置の正面視図である。
【符号の説明】
【００４５】
２１，２２，２３，２４  液晶ディスプレイ、２１２，２２２  表示部、２１３，２２３，２３３，２４３  非表示領域、２１４，２２４  表示領域、２１６，２２６  照明／駆動回路部、３１，３２，３３，３４  液晶ディスプレイ、３１３  非表示領域、３１７，３２７，３３７，３４７  面取り部、４１，４２，４３，４４，４５，４６，４７，４８，４９  液晶ディスプレイ、４００  空隙、４１３  非表示領域、４１４  表示領域、４１７，４５７  面取り部
【図１】
2009162972.tif 000003
【図２】
2009162972.tif 000004
【図３】
2009162972.tif 000005
【図４】
2009162972.tif 000006
【図５】
2009162972.tif 000007
【図６】
2009162972.tif 000008
【図７】
2009162972.tif 000009
【図８】
2009162972.tif 000010
【図９】
2009162972.tif 000011
【図１０】
2009162972.tif 000012